(57)【要約】【課題】ＤＹ固定用金属ベルトからＶＭコイルへの静電気放電によるＶＭ回路の破壊およびマイコンの誤動作を防止する為に用いられた従来のＣＹの課題である、製造上の工数増加と部品コスト上昇を防止することを目的とする。【解決手段】ＤＹ固定用金属ベルトとＶＭコイルの間に位置する場所に放電金具をＣＹに追加し、その放電金具をアース接続するための接続線をＶＭコイル接続線と一体化して回路基板にカプラー接続する。【選択図】図１
2006172725.tif 000002
【特許請求の範囲】
【請求項１】
ＶＭコイルと、ＶＭコイルのＤＹ固定用金属ベルト側に配置され突起形状が前記ＤＹ固定用金属ベルトに向いた放電金具と、放電金具アース接続線とＶＭコイル接続線を一体化した放電金具アースＶＭコイル接続線を有し、前記放電金具ＶＭコイル接続線を回路基板と接続することを特徴とするＶＭコイル一体型コンバーゼンスヨーク。
【発明の詳細な説明】
【技術分野】
【０００１】
本発明は、ＣＲＴに装着するＶＭコイル一体型コンバーゼンスヨークに関するものである。
【背景技術】
【０００２】
ＶＭコイル一体型コンバーゼンスヨーク（以下、「ＣＹ」という。）は偏向ヨーク（以下、「ＤＹ」という。）と同様カラーテレビ内部のＣＲＴに装着し映像を映し出すための部品として実用に供されている。
【０００３】
図２に従来のＣＹおよびＤＹをＣＲＴに装着する模式図を示す。１はＤＹ、２はＣＹ、３はＣＹと一体化したＶＭコイル、４はＣＲＴ、５はＣＹ固定用金属ベルト、６はＤＹ固定用金属ベルト、７は回路基板、８はＶＭコイル接続線を表す。図２のようにＣＲＴのネック部分に貫通させたＣＹ、ＤＹをそれぞれ金属製のベルトを用いボルト・ナットで締め付けて固定するという仕方が一般的である。
【０００４】
この仕方において、テレビの電源をオンオフすることによりＤＹ固定用金属ベルト６に静電気が帯電するという性質があり、その静電気量がある一定レベルを超えるとＶＭコイル３に直接放電しＶＭ回路の破壊およびマイコンの誤動作が発生するという課題があった。
【０００５】
図３にこの課題を解決するための第２の従来のＣＹおよびＤＹをＣＲＴに装着する模式図を示す。１〜８は図２と同様である。９はワッシャが一端に取り付けられた電線、１０は電線を回路基盤に接続するためのカプラーである。ＤＹ固定用金属ベルト６に電線の一端にあるワッシャをボルト・ナットで挟んで固定し、電線９の反対の一端をカプラー１０により回路基板のアースに接続することで、ＤＹ固定用金属ベルト自体が帯電しないようにする仕方がとられている。
【０００６】
また、偏向ヨーク、コンバーゼンス・ピュリティ・マグネット組立の装着用金具を電線で接続し接地することが特許文献１に記載されている。
【特許文献１】特開昭６２−１１７２４２号公報
【発明の開示】
【発明が解決しようとする課題】
【０００７】
しかしながら、図３のようなＤＹ固定用金属ベルト６を電線９で直接アースに接続する仕方は製造上の工数が増加し、また、部品コストが上昇するという問題点を有していた。
【０００８】
本発明は、ＤＹ固定用金属ベルトからＶＭコイルへの静電気放電によるＶＭ回路の破壊およびマイコンの誤動作を防止する為に用いられた従来の課題である、製造上の工数増加と部品コスト上昇を防止することを目的とする。
【課題を解決するための手段】
【０００９】
本発明のＶＭコイル一体型コンバーゼンスヨークは、ＶＭコイルと、ＶＭコイルのＤＹ固定用金属ベルト側に配置され突起形状が前記ＤＹ固定用金属ベルトに向いた放電金具と、放電金具アース接続線とＶＭコイル接続線を一体化した放電金具アースＶＭコイル接続線を有し、前記放電金具アースＶＭコイル接続線を回路基板と接続することを特徴とする。
【発明の効果】
【００１０】
本発明のＶＭコイル一体型コンバーゼンスヨークは、ＤＹ固定用金属ベルトとＶＭコイルの間に位置する放電金具によりＤＹ固定用金属ベルトに帯電した静電気がＶＭコイルに直接放電することを防ぎ、ＶＭ回路の破壊およびマイコンの誤動作を防止することができる。
【００１１】
また、放電金具アース接続線とＶＭコイル接続線とを一体化しているため、ＶＭコイル接続線と放電金具アース接続線を同時に回路基板に接続することができるので、従来の仕方と比較して製造上の工数削減を図ることができる。
【００１２】
さらに、接続用カプラーを別に設ける必要がなく従来のＶＭコイル接続カプラーに放電金具接続用の１ピンを増やすだけで回路基板への接続が可能であるため部品コストを下げることができる。
【発明を実施するための最良の形態】
【００１３】
（実施の形態１）
図１は、本発明の実施の形態１におけるＣＹおよびＤＹをＣＲＴに装着する模式図である。１〜７は、図２、図３と同様である。また、１１は放電金具、１２は放電金具アースＶＭコイル接続線である。放電金具１１はＤＹ固定用金属ベルト６とＶＭコイル３の間に位置している。放電金具１１はＣＹ２上に糊付け等で固定することができる。
放電金具１１の突起形状はＤＹ固定用金属ベルト６に向いている。このため、ＤＹ固定用金属ベルト６に帯電した静電気はＶＭコイル３にではなく、放電金具１１に直接放電し放電金具アースＶＭコイル接続線１２を経由して回路基板７のアースへ流れる。その結果ＶＭ回路の破壊およびマイコンの誤動作を防止することができる。
【００１４】
なお、ＤＹ固定用金属ベルト６はリング状になっており、帯電した静電気は距離がもっとも近い金属へと放電する性質があり、突起形状の金属がＶＭコイル３よりもＤＹ固定用金属ベルト６に近い位置にあり、突起形状がＤＹ固定用金属ベルト６に向いている場合には、その構造で十分に放電金具としての効果をもたらすことができる。
【００１５】
以上の様に、本発明のＶＭコイル一体型コンバーゼンスヨークは、ＤＹ固定用金属ベルトとＶＭコイルの間に位置する放電金具によりＤＹ固定用金属ベルトに帯電した静電気がＶＭコイルに直接放電することを防ぎ、ＶＭ回路の破壊およびマイコンの誤動作を防止することができる。
【００１６】
また、放電金具アース接続線とＶＭコイル接続線とを一体化した放電金具アースＶＭコイル接続線を用いているため、ＶＭコイル接続線と放電金具アース接続線を同時に回路基板に接続することができるので、従来の仕方と比較して製造上の工数削減を図ることができる。
【００１７】
さらに、接続用カプラーを別に設ける必要がなく従来のＶＭコイル接続カプラーに放電金具アース接続用の１ピンを増やすだけで回路基板への接続が可能であるため部品コストを下げることができる。
【産業上の利用可能性】
【００１８】
本発明は、静電気に対して耐性の少ない回路を静電気で帯電している物体から保護する用途にも適用できる。
【図面の簡単な説明】
【００１９】
【図１】本発明の実施の形態１におけるＣＹおよびＤＹをＣＲＴに装着する模式図
【図２】従来のＣＹおよびＤＹをＣＲＴに装着する模式図
【図３】第２の従来のＣＹおよびＤＹをＣＲＴに装着する模式図
【符号の説明】
【００２０】
１    ＤＹ
２    ＣＹ
３    ＣＹと一体化したＶＭコイル
４    ＣＲＴ
５    ＣＹ固定用金属ベルト
６    ＤＹ固定用金属ベルト
７    回路基板
８    ＶＭコイル接続線
９    ワッシャが一端に取り付けられた電線
１０    電線を回路基板に接続するためのカプラー
１１    放電金具
１２    放電金具アースＶＭコイル接続線
【図１】
2006172725.tif 000003
【図２】
2006172725.tif 000004
【図３】
2006172725.tif 000005